(57)【要約】【課題】液晶表示部のバックライトに複数の照明手段が用いられる場合に、バックライトの省電力化と利便性の確保との両立を可能とする。【解決手段】液晶表示部への信号伝送経路１８の信号状態が無映像の信号状態であるか否かを無映像検知回路５により検知し、無映像の信号状態であると検知される状態の継続時間に応じて、まず、２組のバックライト（蛍光管１２と赤色のＬＥＤ１３）のうちの一方であるＬＥＤ１３を消灯若しくは減光させて「低光量状態」とし、さらに、所定時間が経過するまで継続してバックライトが「低光量状態」である場合に、全てのバックライト（蛍光管１２とＬＥＤ１３の両方）を消灯させる。【選択図】図１
2007121408.tif 000002
【特許請求の範囲】
【請求項１】
所定の信号伝送経路を通じて入力される映像信号に基づく映像を表示する液晶表示部をその背面から照明する複数の背面照明手段を備えた液晶表示装置であって、
前記信号伝送経路の信号状態が無映像の信号状態であるか否かを検知する無映像検知手段と、
前記無映像検知手段により前記無映像の信号状態であると検知される状態の継続時間に応じて、前記複数の背面照明手段のうちの一部を消灯若しくは減光させることにより、前記複数の背面照明手段の全てを消灯させる状態まで段階的に移行させる背面照明消灯制御手段と、
を具備してなることを特徴とする液晶表示装置。
【請求項２】
前記背面照明消灯制御手段による前記複数の背面照明手段の照明状態の移行中に前記無映像検知手段により前記無映像の信号状態でないと検知された場合に、前記複数の背面照明手段の照明状態を元の状態に復帰させる背面照明復帰制御手段を具備してなる請求項１に記載の液晶表示装置。
【請求項３】
前記背面照明消灯制御手段が、
所定の第１の設定時間が経過するまで継続して前記無映像検知手段により前記無映像の信号状態であると検知された場合に前記複数の背面照明手段のうちの一部を消灯若しくは減光させて低光量状態とする第１の背面照明消灯制御手段と、
所定の第２の設定時間が経過するまで継続して前記背面照明手段が前記低光量状態である場合に前記複数の背面照明手段の全てを消灯させる第２の背面照明消灯制御手段と、を有してなる請求項１又は２のいずれかに記載の液晶表示装置。
【請求項４】
前記背面照明手段が、赤、緑及び青の各波長の光の合成光を発光する蛍光管による第１の照明手段と赤色波長の光を発光する赤色ＬＥＤによる第２の照明手段とを有し、
前記第１の背面照明消灯制御手段が、前記第２の照明手段を消灯若しくは減光させて前記低光量状態とするものである請求項３に記載の液晶表示装置。
【請求項５】
前記背面照明消灯制御手段による制御を行うか否かを選択する制御モード選択手段を具備してなる請求項１〜４のいずれかに記載の液晶表示装置。
【発明の詳細な説明】
【技術分野】
【０００１】
本発明は、入力された映像信号に基づく映像を表示する液晶表示部をその背面から照明する複数の背面照明手段を備えた液晶表示装置に関するものである。
【背景技術】
【０００２】
液晶表示装置は、液晶表示部（液晶表示パネル）をその背面から照明するバックライト（背面照明手段）を備え、このバックライトとしては、一般的に、赤、緑及び青の各波長の光の合成光を発光する蛍光管（冷陰極管）が採用される。
ここで、蛍光管によるバックライトは、人間の目の色感度を基準として適正と考えられるホワイトバランスに対し、赤色の波長帯の光の強度がやや不足する傾向にあり、色再現性のさらなる向上を図るためには、蛍光管の光よりも赤色波長帯の光が補強された光を発光するバックライトを採用することが望ましい。これに対し、従来、色再現性の向上を目的として、赤、緑及び青の各波長の光を発光する複数色のＬＥＤが配列されたＬＥＤ型のバックライトや、特許文献１に示されるように、従来の蛍光管と赤色波長の光を補う赤色ＬＥＤとの両方が配列されたハイブリッド型のバックライト等が採用されることがある。
一方、特許文献２には、入力端の無信号状態が一定時間継続した場合に、映像機器の電源を自動的にオフする技術が示されている。
【特許文献１】特開２００４−１３９８７６号公報
【特許文献２】実開平２−６４２７６号公報
【発明の開示】
【発明が解決しようとする課題】
【０００３】
ところで、液晶表示装置におけるバックライトは、装置全体に占める消費電力の割合が高い。さらに、ＬＥＤ型のバックライトやハイブリッド型のバックライトを採用すると、蛍光管のみによるバックライトに比べて消費電力が増大する。特に、ＬＥＤ型のバックライトでは、非常に多数のＬＥＤが必要となり、消費電力の増大が顕著となる。
これに対し、特許文献２に示される技術を適用した場合、電源ＯＦＦされた後に再び映像信号が発生しても、その映像が表示される状態に自動復帰しないという問題点があった。また、仮に、特許文献２に示される構成に、映像信号の発生時に電源をＯＮして復帰させる構成を加えた場合、バックライトの起動及び照明状態の安定化に一定時間を要するため、利便性確保のために電源ＯＦＦを行うまでの無信号状態の監視時間を長く設定せざるを得ず、十分な省電力化が図れないという問題点があった。
従って、本発明は上記事情に鑑みてなされたものであり、その目的とするところは、液晶表示部のバックライトに複数の光源（照明手段）が用いられる場合に、バックライトの省電力化と利便性の確保との両立が可能な液晶表示装置を提供することにある。
【課題を解決するための手段】
【０００４】
上記目的を達成するために本発明は、所定の信号伝送経路を通じて入力される映像信号に基づく映像を表示する液晶表示部をその背面から照明する複数の背面照明手段を備えた液晶表示装置に適用されるものであり、液晶表示部への信号伝送経路の信号状態が無映像の信号状態であるか否かを検知する無映像検知手段と、これにより前記無映像の信号状態であると検知される状態の継続時間に応じて、前記複数の背面照明手段のうちの一部を消灯若しくは減光させることにより、前記複数の背面照明手段の全てを消灯させる状態まで段階的に移行させる背面照明消灯制御手段と、を具備する液晶表示装置として構成されるものである。
このように、無映像の状態が継続した場合に、前記複数の背面照明手段の照明状態が段階的に消灯状態へ移行されるので、その移行途中で有映像の信号（映像信号）が発生すれば、その映像がある程度の明るさで表示される。このため、一部の背面照明手段を消灯等させる途中段階への移行時間（無映像の継続時間）を比較的短く設定することにより、背面照明手段（バックライト）の省電力化と利便性の確保との両立が可能となる。
この場合、前記背面照明消灯制御手段による前記複数の背面照明手段の照明状態の移行中に前記無映像検知手段により前記無映像の信号状態でない（有映像の信号状態である）と検知された場合に、前記複数の背面照明手段の照明状態を元の状態に復帰させる背面照明復帰制御手段がさらに設けられたものが考えられる。これにより、背面照明手段を早期に元の明るさまで復帰させることができる。この他、省電力化をより優先するのであれば、前記無映像検知手段により前記無映像の信号状態でないと検知される状態が所定時間継続した場合に、前記複数の背面照明手段の照明状態を元の状態に復帰させること等も考えられる。
【０００５】
また、前記背面照明消灯制御手段としては、例えば、所定の第１の設定時間が経過するまで継続して前記無映像検知手段により前記無映像の信号状態であると検知された場合に前記複数の背面照明手段のうちの一部を消灯若しくは減光させて低光量状態とし（第１の背面照明消灯制御）、さらに、所定の第２の設定時間が経過するまで継続して前記背面照明手段が前記低光量状態である場合に前記複数の背面照明手段の全てを消灯させること（第２の背面照明消灯制御）が考えられる。
さらに、このような制御を、前記背面照明手段が、赤、緑及び青の各波長の光の合成光を発光する蛍光管による照明手段（以下、第１の照明手段という）と、赤色波長の光を発光する赤色ＬＥＤによる照明手段（以下、第２の照明手段という）とを有する場合に適用し、前記第１の背面照明消灯制御において、前記第２の照明手段を消灯若しくは減光させて前記低光量状態にするよう構成すれば好適である。
これにより、前記低光量状態において有映像の信号（映像信号）が発生した場合、そのとき点灯中の前記第１の照明手段によってほぼ白色光に近い光が液晶表示部の背面から照射されるので、ある程度適切な色バランスで映像が表示されるからである。
また、前記背面照明消灯制御手段による制御を行うか否かを選択する制御モード選択手段を設ければ、ユーザの好みに応じて制御モードの選択が可能となり好適である。
【発明の効果】
【０００６】
本発明によれば、無映像の状態が継続した場合に、複数の背面照明手段（バックライト）の照明状態が段階的に消灯状態へ移行されるので、その移行途中で有映像の信号（映像信号）が発生すれば、その映像がある程度の明るさで表示される。このため、一部の背面照明手段を消灯等させる途中段階への移行時間（無映像の継続時間）を比較的短く設定することにより、背面照明手段の省電力化と利便性の確保との両立が可能となる。
特に、前記背面照明手段が、赤、緑及び青の各波長の光の合成光を発光する蛍光管による第１の照明手段と、赤色波長の光を発光する赤色ＬＥＤによる第２の照明手段とを有する場合に、まず、無映像の信号状態が所定時間継続した時点で前記第２の照明手段を消灯若しくは減光させて前記低光量状態にし、さらに無映像の信号状態が所定時間継続した時点で全ての照明手段を消灯状態とすれば、前記低光量状態において有映像の信号（映像信号）が発生した場合に、そのとき点灯中の前記第１の照明手段によってほぼ白色光に近い光が液晶表示部の背面から照射されるので、ある程度適切な色バランスで映像が表示される点で好適である。
【発明を実施するための最良の形態】
【０００７】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係る液晶表示装置の一例であるテレビジョン受像機Ｘの概略構成を表すブロック図、図２はテレビジョン受像機Ｘにおけるバックライト制御の手順を表すフローチャートである。
【０００８】
まず、図１に示すブロック図を用いて、本発明の実施形態に係る液晶表示装置の一例であるテレビジョン受像機Ｘの構成について説明する。
テレビジョン受像機Ｘは、アンテナ等により受信されたテレビジョン放送信号から抽出される放送番組に関する映像信号を、所定の信号伝送経路１８を通じて液晶パネル２１（液晶表示部）に入力させ、その映像信号に基づく映像を液晶パネル１２により表示するものである。その液晶パネル２１の背面には、液晶パネル２１を背面から照明する背面照明手段（バックライト）である蛍光管１２（図中、ＣＦＬと表す）及びＬＥＤ１３が設けられている。なお、ここでは、液晶表示装置の一例としてテレビジョン受像機Ｘを示すが、本発明の適用対象はこれに限る物ではなく、例えば、計算機の液晶表示装置等、液晶表示パネルとそれを背面照明する複数のバックライトを備えるものであれば、他の液晶表示装置であってもかまわない。
図１に示すように、テレビジョン受像機Ｘは、複数のチューナ１ａ、１ｂ、１ｃ、外部入力部２、映像切替回路３、映像処理回路４、無映像検知回路５、タイマ回路６、リモコン７、制御回路８、リモコンインターフェース（Ｉ／Ｆ）回路９、液晶パネル２１、バックライトを構成する蛍光管１２及びＬＥＤ１３、インバータ回路１４、ＬＥＤ駆動回路１５、カラーセンサ１６、明るさセンサ１７、音声切替回路１０、音声処理回路１１、アンプ２２、及びスピーカ２３等を具備して構成されている。
【０００９】
前記チューナ１ａ、１ｂ、１ｃは、各々地上波放送信号、ＢＳ衛星放送信号及びＣＡＴＶ放送信号の各々が入力され、入力された各放送信号から前記制御回路８により指示される放送チャンネルの信号を抽出（選局）するとともに、その抽出信号の検波によって映像信号及び音声信号を取り出し、その映像信号及び音声信号の各々を前記映像切替回路３及び前記音声切替回路１０各々へ伝送するものである。
また、前記外部入力部２は、外部からコンポジット方式或いはセパレート方式の映像信号及び音声信号等である外部入力映像信号及び外部入力音声信号を入力し、それらを前記映像切替回路３及び前記音声切替回路１０各々へ伝送するインターフェースである。
前記映像切替回路３は、前記チューナ１ａ、１ｂ、１ｃ各々からの映像信号及び前記外部入力部２からの映像信号を入力し、それらの映像信号のうちの任意の１つの映像信号を前記制御回路８からの指示に従って選択して出力するものである。
【００１０】
前記映像処理回路４は、前記映像切替回路３から出力された映像信号に対して各種信号処理を行うものである。例えば、映像信号から水平及び垂直同期信号の分離、その同期信号に位相同期したクロック信号の生成、映像信号からの輝度信号及び色信号の分離、所定の画質改善処理等を行い、処理後の映像信号を前記液晶パネル２１に出力する。
前記無映像検知回路５は、映像切替回路３から液晶パネル２１に至る信号伝送経路１８（映像信号の伝送経路）において、その信号の状態が無映像の信号状態であるか否かを検知するものである（無映像検知手段の一例）。その検知結果（検知信号）は制御回路８へ伝送される。
例えば、信号伝送経路１８の信号について、映像処理回路４により分離された垂直同期信号の単位時間当たりの発生回数が予め設定された回数の範囲内にない場合、即ち、映像信号そのものが検知されない場合に無映像の信号状態であると検知する。その他、全映像領域或いは予め定められたその一部の映像領域について、ＲＧＢの各輝度の分布を検出し、ＲＧＢの各輝度の分布がない（或いは、ほとんど分布がない）いわゆるベタ映像が一定時間以上継続継続した場合に、無映像の信号状態であると検知すること等も考えられる。なお、映像処理回路４からの出力信号（映像信号）は、無映像検知回路５を通じてそのまま液晶パネル２１へ伝送される。
【００１１】
前記制御回路８は、演算手段であるＭＰＵ８ａ、そのＭＰＵ８ａによって実行される制御プログラムが予め格納される記憶手段であるＲＯＭ８ｂ（ＥＰＲＯＭ）、前記ＭＰＵ８ｂが実行する処理において読み書き（参照又は書き込み）される設定情報を記憶するＥＥＰＲＯＭ８ｃ等を備え、当該テレビジョン受像機Ｘ全体を制御するものである。
前記リモコンインターフェース回路９は、当該テレビジョン受像機Ｘの操作用のリモコン７（リモート操作器）から、赤外線伝送等の無線伝送によって前記リモコン７に対する操作入力情報を取得し、その操作入力情報を前記制御回路８に出力するものである。
例えば、チャンネル選択が行われる場合、前記リモコン７のチャンネル選択キーに対する操作入力の情報が、前記リモコンインターフェース回路９を通じて前記制御回路８に入力され、その操作入力情報に従って、前記制御回路８により、前記チューナ１ａ、１ｂ、１ｃのいずれかに対して選局するチャンネルが指定されるとともに、そのチャンネルの映像が前記液晶パネル２１に表示されるように前記映像切替回路３が制御される。
同様に、音量調節が行われる場合、前記リモコン７の音量ボリューム調節キー（音量のアップキーとダウンキー）に対する操作入力情報に従って、前記制御回路８から前記アンプ２２に対して出力音量の調節指令が出力され、その指令に従って前記アンプ２２により前記スピーカ２３に対する出力音量が調節される。
【００１２】
前記音声切替回路１０は、前記チューナ１ａ、１ｂ、１ｃ各々からの音声信号及び前記外部入力部２からの音声信号が入力され、それらの音声信号のうちの任意の１つの音声信号を、前記制御回路８からの指示に従って前記音声処理回路１１に出力するものである。
前記音声処理回路１１は、前記制御回路８からの指示に従って、前記音声切替回路１０から出力された音声信号に対して各種信号処理を行うものである。例えば、前記スピーカ２３の特性に合わせたイコライズ処理や、サラウンド処理等を行う。
前記アンプ２２は、前記音声処理回路１１による処理後の音声信号を、前記制御回路８からの指示に従って増幅或いは減衰させる処理を行い、前記アンプ２３に出力するものである。
また、前記液晶パネル２１は、映像処理回路４から出力される映像信号に基づく映像を表示するものである。
また、前記明るさセンサ１７は、液晶パネル２１の前面側の明るさを検知するセンサであり、前記カラーセンサ１６は、液晶パネル２１の背面側における光の色分布（Ｒ、Ｇ、Ｂの分布）を検知するセンサである。これらのセンサは、後述するように、蛍光管１２やＬＥＤ１３の明るさ（出力）制御に用いられる。
【００１３】
液晶パネル２１のバックライト（背面照明手段）を構成する蛍光管１２は、赤、緑及び青の各波長の光の合成光を発光するものであり、複数の蛍光管が配列されて構成されている（第１の照明手段の一例）。また、同じくバックライトを構成するＬＥＤ１３は、赤色波長の光を発光する赤色ＬＥＤであり、複数の蛍光管１２の間等に複数配列されて構成されている（第２の照明手段の一例）。
蛍光管１２は、前記インバータ回路１４（図中、ＩＮＶ回路と示す）により駆動され、インバータ回路１４は、制御回路８から出力される制御指令に従って、蛍光管１２への供給電力を調節する。具体的には、制御回路８からインバータ回路１４に対して矩形波状のパルス信号が出力され、そのパルス信号のデューティー比に応じたデューティー比を有するパルス状の駆動電圧が蛍光管１２に供給される。そして、制御回路８がインバータ回路１４に出力するパルス信号のデューティー比を調節することにより、ＰＷＭ（Pulse Width Modulation：パルス幅階調)調光による蛍光管１２の明るさ調節が行われる。これにより、蛍光管１２の点灯、消灯及び明るさの制御が行われる。
一方、ＬＥＤ１３（赤色ＬＥＤ）は、前記ＬＥＤ駆動回路１５により駆動され、ＬＥＤ駆動回路１５が、制御回路８から出力される制御指令に従って、ＬＥＤ１３に対する供給電流を調節することにより、電流調光方式によるＬＥＤ１３の明るさ調節が行われる。これにより、ＬＥＤ１３の点灯、消灯及び明るさの制御が行われる。
【００１４】
次に、図２に示すフローチャートを参照しつつ、制御回路８のＭＰＵ８ａが所定の制御プログラムを実行することにより実現されるバックライト制御の手順について説明する。なお、図２に示す処理は、利用者によるリモコン７操作等により、当該テレビジョン受像機Ｘが起動（電源ＯＮ）された場合や、タイマー起動設定等により予め設定された時刻に当該テレビジョン受像機Ｘが自動起動した場合等に開始されるものとする。また、以下に示すＳ１、Ｓ２、…は、処理手順（ステップ）の識別符号を表す。
まず、制御回路８がインバータ回路１４及びＬＥＤ駆動回路１５を制御することにより、蛍光管１２及びＬＥＤ１３が点灯され（Ｓ１）、さらに、蛍光管１２及びＬＥＤ１３の各々について、その出力（明るさ）調節が行われる（Ｓ２、Ｓ３）。
即ち、蛍光管１２については、制御回路８により、液晶パネル２１の前面側の明るさを検知する明るさセンサ１７の検知レベルに応じて、蛍光管１２の明るさ（出力）が制御される（Ｓ２）。具体的には、液晶パネル２１の前面側が明るいほど蛍光管１２の明るさ（出力）を上げる。これにより、周囲の明るさとの関係で、相対的に液晶パネル２１の出力映像が暗すぎると感じられたり、明るすぎると感じられたりすることを防止できる。
一方、ＬＥＤ１３については、制御回路８により、液晶パネル２１の背面側の光の色分布を検知するカラーセンサ１６の検知結果に応じて、ＬＥＤ１３の明るさ（出力）が制御される（Ｓ３）。具体的には、カラーセンサ１６により検知されるＲＧＢの色分布に基づいて、その色バランスが予め定められた目標とするホワイトバランスに近づくように、ＬＥＤ１３による赤色光の補強制御が行われる。
【００１５】
次に、制御回路８により、予め設定されてＥＥＰＲＯＭ８ｃに記憶されたバックライトの制御モードを表すモード情報が参照され、「自動ＯＦＦモード」に設定されているか否かの判別がなされる。
このモード情報は、制御回路８によりＥＥＰＲＯＭ８ｃに記録されるものであり、リモコンインターフェース回路９からの伝送信号に基づいて、リモコン７を通じて「自動ＯＦＦモード」に設定する若しくはそれを解除する所定の操作がなされたことが検知された場合に、その操作に対応する情報が記録される。このリモコン７、リモコンインターフェース回路９及び制御回路８により実現されるモード情報の設定機能により、後述するバックライトの自動ＯＦＦモード時の制御（背面照明消灯制御手段による制御の一例）を行うか否かが選択可能である（制御モード選択手段の一例）。これにより、ユーザの好みに応じて制御モードの選択が可能となる。
ここで、前記制御モードが「自動ＯＦＦモード」でないと判別された場合は、前述したステップＳ２及びＳ３の処理が繰り返される。
一方、前記制御モードが「自動ＯＦＦモード」であると判別された場合は、処理が以下に示すバックライト自動ＯＦＦモード時の処理（ステップＳ５〜Ｓ１８）へ移行される。
【００１６】
＜バックライト自動ＯＦＦモード時の処理：Ｓ５〜Ｓ１８＞
バックライト自動ＯＦＦモードに設定されている場合、まず、制御回路８により、無映像検知回路５の検知状態が「無映像状態」を検知中であるか否かの判別がなされる（Ｓ５）。
ここで、「無映像状態」を検知中であると判別された場合、制御回路８により、タイマ回路６により計時される所定のタイマ（以下、バックライト制御タイマという（図中、ＢＬ制御タイマと表す））の計時が停止中であるか否かの判別がなされ（Ｓ１１）、同タイマが停止中であれば同タイマの計時が開始処理がなされる（Ｓ１２）。なお、バックライト制御タイマの初期状態は停止中である。
このバックライト制御タイマの計時時間は、無映像検知回路５によって「無映像状態」（無映像の信号状態）であると検知されている状態の継続時間を表し、以後、制御回路８によりその計時時間がチェックされる（Ｓ１３、Ｓ１６）。
そして、制御回路８により、バックライト制御タイマの計時時間が、予め設定された設定時間Ｔ１（第１の設定時間）を経過したと判別された場合（Ｓ１３のＹ側）、即ち、設定時間Ｔ１が経過するまで継続して無映像検知回路５により「無映像状態」であると検知された場合、制御回路８により、その時点でのＬＥＤ１３の出力値（明るさ）がＥＥＰＲＯＭ８ｃに記録され（Ｓ１４）、その上で、制御回路８がＬＥＤ駆動回路１５を制御することにより、一方のバックライトであるＬＥＤ１３が消灯される（Ｓ１５、第１の背面照明消灯制御手段の一例）。このように、一方のバックライトであるＬＥＤ１３が消灯され、他方の蛍光管１２が点灯された状態を、以下、「低光量状態」という。但し、ステップＳ１４の出力値記録処理は、設定時間Ｔ１の経過が判別された最初の１回のみ行われる。
【００１７】
また、制御回路８により、バックライト制御タイマの計時時間が、予め設定された他の設定時間Ｔ２（但し、Ｔ２＞Ｔ１）を経過したと判別された場合（Ｓ１６のＹ側）、即ち、所定の設定時間（Ｔ２−Ｔ１：第２の設定時間の一例）が経過するまで継続してバックライトが「低光量状態」である場合、制御回路８により、その時点での蛍光管１２の出力値（明るさ）がＥＥＰＲＯＭ８ｃに記録され（Ｓ１７）、その上で、制御回路８がインバータ回路１４を制御することにより、もう一方のバックライトである蛍光管１２も消灯される（Ｓ１８、第２の背面照明消灯制御手段の一例）。これにより、全て（両方）のバックライトが消灯状態となる。但し、ステップＳ１７の出力値記録処理は、設定時間Ｔ２の経過が判別された最初の１回のみ行われる。
また、バックライト制御タイマの計時時間が、前記第１の設定時間Ｔ１を経過していないと判別された場合（Ｓ１３のＮ側）、或いは「低光量状態」への移行後、前記第２の設定時間Ｔ２を経過していないと判別された場合（Ｓ１６のＮ側）は、そのまま前述したステップＳ２からの処理が繰り返される。
【００１８】
一方、バックライト自動ＯＦＦモードに設定されている場合において、無映像検知回路５の検知状態が「無映像状態」を検知中でない（有映像状態である）と判別された場合（Ｓ５のＮ側）、制御回路８により、タイマ回路６による前記バックライト制御タイマの計時を停止させるよう制御される（Ｓ６）。
さらに、制御回路８により、ＬＥＤ１３が消灯状態である（バックライトが「低光量状態」である）か否かが判別（Ｓ７）され、ＬＥＤ１３が消灯状態である場合には、制御回路８がＬＥＤ駆動回路１５を制御することにより、ＬＥＤ１３を点灯させるとともに、その出力（明るさ）が、ステップＳ１４でＥＥＰＲＯＭ８ｃに記録された元の出力に復帰させられる（Ｓ８）。
【００１９】
加えて、制御回路８により、蛍光管１２（ＣＦＬ）が消灯状態である（バックライトが全消灯状態である）か否かが判別（Ｓ９）され、蛍光管１２が消灯状態である場合には、制御回路８がインバータ回路１４を制御することにより、蛍光管１２を点灯させるとともに、その出力（明るさ）が、ステップＳ１７でＥＥＰＲＯＭ８ｃに記録された元の出力に復帰させられる（Ｓ１０）。
この制御回路８が実行するステップＳ７〜Ｓ１０の処理により、バックライトが全て点灯している状態からその全てが消灯状態となるまでの照明状態の移行中に、前記無映像検知回路５により「無映像状態」ではない（有映像状態である）と検知された場合に、消灯中のバックライト（蛍光管１２又はＬＥＤ１３）の照明状態が、元の状態に復帰させられる（背面照明復帰制御手の一例）。これにより、バックライトを早期に元の明るさまで復帰させることができる。
そして、上記したステップＳ６〜Ｓ１０の処理の後、前述したステップＳ２からの処理が繰り返される。
【００２０】
また、制御回路８（背面照明消灯制御手段の一例）の処理により、無映像の状態が継続した場合に、２組のバックライト（蛍光管１２とＬＥＤ１３）のうちの一方を消灯させることにより、バックライトが、まず全点灯状態から蛍光管１２のみの点灯状態（「低光量状態」）への移行され（Ｓ１３〜Ｓ１５）、さらに、その状態から全消灯状態へ移行（Ｓ１６〜Ｓ１８））される、というように、段階的に全消灯状態まで移行される。従って、その移行途中で有映像の信号（映像信号）が発生すれば（Ｓ５のＮ側）、その映像が直ちにある程度の明るさで表示される。このため、一部のバックライトを消灯させる途中段階への移行時間（前述の設定時間Ｔ１）を比較的短く設定することにより、バックライトの省電力化と利便性の確保との両立が可能となる。例えば、一方の設定時間Ｔ１を数秒〜数十秒（より具体的には数秒〜６０秒程度等）とし、もう一方の設定時間Ｔ２を数分（より具体的には５分程度等）とすれば好適である。
【００２１】
以上示した実施形態では、設定時間Ｔ１が経過するまで継続して「無映像状態」であると検知された場合に、２組のバックライト（蛍光管１２とＬＥＤ１３）のうちの一方（ＬＥＤ１３）を消灯させて前記「低光量状態」とする例を示したが、この他、ＬＥＤ１３を減光させて（例えば、予め設定された最低光量の出力に減光させて）「低光量状態」とすること等も考えられる。
また、本発明は、前述したような蛍光管１２と赤色のＬＥＤ１３とを有するハイブリッド型のバックライトに限らず、複数の照明手段を有するバックライトを備えた液晶表示装置であれば、設定時間Ｔ１が経過するまで継続して「無映像状態」であると検知された場合に、その一部を消灯若しくは減光させて「低光量状態」とするよう構成して適用可能である。
また、前述の実施形態では、バックライトを全て点灯した状態から全て消灯した状態まで２段階で移行させる例を示したが、これに限るものでなく、さらにバックライトの点灯状態を細分化して３段階以上の過程を経て全消灯状態へ移行させることも考えられる。
【産業上の利用可能性】
【００２２】
本発明は、テレビジョン受像機に利用可能である。
【図面の簡単な説明】
【００２３】
【図１】本発明の実施形態に係る液晶表示装置の一例であるテレビジョン受像機Ｘの概略構成を表すブロック図。
【図２】テレビジョン受像機Ｘにおけるバックライト制御の手順を表すフローチャート。
【符号の説明】
【００２４】
Ｘ…テレビジョン受像機
１ａ、１ｂ、１ｃ…チューナ
２…外部入力部
３…映像切替回路
４…映像処理回路
５…無映像検知回路
６…タイマ回路
７…リモコン
８…制御回路
９…リモコンインターフェース回路
１０…音声切替回路
１１…音声処理回路
１２…蛍光管（バックライト）
１３…ＬＥＤ（バックライト）
１４…インバータ回路
１５…ＬＥＤ駆動回路
１６…カラーセンサ
１７…明るさセンサ
１８…映像信号の信号伝送経路
２１…液晶パネル
Ｓ１、Ｓ２、・・…ステップ（処理手順）
【図１】
2007121408.tif 000003
【図２】
2007121408.tif 000004